(57)【要約】【課題】載置板に載置した本が、移動したり落下することなく確実に載置することができ、また、載置した本の頁を活字を隠蔽することなく確実に保持し、頁の捲り及び収めが簡単容易に行うことができ、また、書見台を座位や仰臥で使用する場合、その切り替えが簡単容易であり、更に、多様に使用可能な書見台を低コストで実現する。【解決手段】書見台は、載置板と載置板を支える基板を連結して構成し、載置板両側の凹状部は略階段形状に形成し、載置板の上端中央部に複数の凹状部を形成し、載置板と基板の裏面中央の同一線上に互いに対称の向きで、取付孔を有する支え部を夫々設け、載置板表面下方部に設けた保持板部の頁抑えの頭部が円形形状にする。【選択図】  図１
2009136595.tif 000002
【特許請求の範囲】
【請求項１】
本を載せる載置板の両側中間部に凹状部を形成し、載置板の裏面中央部に載置板の立設を保持し、傾斜角度を調節する支持杆を、受け部を介して回動自在に取り付け、載置板表面下方部に本の下端部を保持し、且、頁の下方部を抑える頁抑えを具備した保持板部を設け、載置板の上方の左右に、外縁に複数の凹状部を形成した補助板を設けた書見台において、書見台は、載置板と、載置板の下方に配設し載置板を支える基板と連結して構成し、載置板両側に形成している凹状部は略階段形状で、載置板の上端中央部に複数の凹状部を形成し、載置板と基板の裏面中央の同一線上に互いに対称の向きで、取付孔を有する柔軟な合成樹脂板で形成した支え部を夫々設け、載置板表面下方部に設けた保持板部と一体に形成している頁抑えの頭部が円形形状を形成していることを特徴とする書見台    
【請求項２】
載置板と基板が柔軟な合成樹脂板で形成し、載置板に設けた支え部と保持板部、及び、基板に設けた支え部が、載置板及び基板と、夫々が一体に形成したことを特徴とする請求項１記載の書見台    
【請求項３】
載置板と基板は、支え部を有する傾斜板を介して連結したことを特徴とする請求項１又は２記載のうちいずれか一項記載の書見台
【請求項４】
載置板と基板が柔軟な合成樹脂板で一体に形成したことを特徴とする請求項１又は２記載のうちいずれか一項記載の書見台
【請求項５】
載置板と基板がダンボール板で一体に形成したことを特徴とする請求項１記載の書見台
【発明の詳細な説明】
【技術分野】
【０００１】
本発明は、書見台の改良に関し、従来のものに比べて使い勝手を向上させたものである。
【背景技術】
【０００２】
書見台は、本を手で保持しなくても読書ができるようにする目的や、眼の疲労が少なく、体が楽な姿勢で読書できるように、本の傾斜角度を自在に調節できるようにするという目的で、従来から様々なものが提案されてきた。また一つの書見台を多様な状態、例えば椅子に座して背凭れを後方に倒した状態や、床に座した状態や、仰臥の状態等でも使用できるものも知られている。このような書見台に共通する問題として、まず本サイズの大小に係わらず載置板に安定的且簡単に如何にしてセツトするかという点である。次に、セツトした本の開いた頁を保持し、捲った頁を隣りの頁に収め保持することを、如何に簡単且容易に行い、開いた頁を見易くするという点にある。更に、書見台を希望する状態（座しての使用か仰臥での使用か等）で使用する場合、切り替え操作が簡潔であり、しかも、如何にして低コストで製造できるかという点にある。
【０００３】
この改善策として、載置板の両側に凹状部を形成し、載置板の裏面中央部に載置板の立設を保持し、傾斜角度を調節する支持杆を、受け部を介して回動自在に取り付け、載置板の下方部に本の下端部と、本の頁の下方部を保持する頁抑えと一体に形成した柔軟な保持板部を形成し、更に載置板の両側に外周を複数の凹部を形成した補助板を回動自在に取り付けたものがある（特許文献１参照。）。
【０００４】
以下、図１３、１４により従来の書見台について説明する。図において、１は柔軟な合成樹脂の載置板で両側部を略Ｕ字状の凹状部４を形成し、本の表紙側部と凹状部４をクリツプ１４で留めるようにしている。２５は支持杆で載置板１の立設を保持し、載置板１の傾斜角度を調節するため、載置板１の中央部裏側に形成した受け部２６を介して回動自在に設けている。また支持杆２５の先端部は空きびん口部に嵌合可能にテーパー形状を形成している。載置板１の下方部に左右一対の保持板部６と頁抑え１０を具備した保持板部６を形成している。保持板部６は載置板１の前側に湾曲状に引き出し、その上端部に本の下端部を載せ、本の頁の下部を頁抑え１０で抑えるようにしている。本の頁の上部両隅は載置板１の上端部と両側部にクリツプ１４を留め、そのクリツプ１４間に輪ゴム１５を掛けて上側の頁を抑えるようにしている。また、図１４に示すように、載置板１の両側に補助板２７を設け、その補助板２７の上部と側部の凹状部４に輪ゴム１５を掛けて特に大型本の頁の上部を抑えるようにしている。  
【特許文献１】特願２００７−１９８７５８
【発明の開示】
【発明が解決しようとする課題】
【０００５】
以上に述べた従来の書見台では、載置板に載置した本が左右に移動したり落下防止のため、本の表紙の両側部と載置板両側部に形成した凹状部をクリツプで留めた場合、本のサイズによつてはクリツプを斜め方向にして留めるため、充分且確実に留めることができなかつた。そのため重量がある重い本を載置し、載置板の傾斜角度を斜め下向きにした場合、クリツプが外れ本が落下する恐れがあった。
【０００６】
また、頁数が３００頁以上ある比較的重い本を載置板に載せた場合、読み始めと読み終わりは重心が載置板の片側に偏るため、載置板の傾斜角度を緩やかな鋭角にすると転倒する等不安定であつた。
【０００７】
また、頁数の厚い本の下端部を保持板部に載せた場合、読み始めと読み終わりは頁の厚さが片側に偏るため、頁抑えで抑えた頁が円滑に抜けなく、また抜いた頁を隣りの頁抑えに円滑に収めることが困難であるため、手で頁抑えを起こして頁を抜いたり収める等手間がかかっていた。
【０００８】
また、本の頁の上部両隅の頁抑えは、クリツプを取り付けたり補助板を介して輪ゴムで抑えるため、美観上、コスト上好ましくなく、補助板を取り付けているビスと蝶ナツトが緩むと抑えが不具合になることがあつた。
【０００９】
本発明は、このような従来の構成が有していた問題を解決しようとするものであり、載置板に載置した本が、載置板上を移動したり、載置板から落下することなく確実に載置することができ、また、載置した本の頁を活字を隠蔽することなく確実に保持し、頁の捲り及び収めが簡単容易に行うことができ、また、書見台を座位や仰臥で使用する場合、その切り替えが簡単容易であり、更に、多様に使用可能な書見台を低コストで実現することを目的とするものである。
【課題を解決するための手段】
【００１０】
そして、本発明は上記目的を達成するために本を載せる載置板の両側中間部に凹状部を形成し、載置板の裏面中央部に載置板の立設を保持し傾斜角度を調節する支持杆を、受け部を介して回動自在に取り付け、載置板表面下方部に本の下端部を保持し、且、頁の下方部を抑える頁抑えを具備した保持板部を設け、載置板の上方の左右に外縁に複数の凹状部を形成した補助板を設けた書見台において、書見台は、載置板の下方部に配設し載置板を支える基板と連結して構成し、載置板両側の凹状部は略階段形状で、載置板の上端中央部に複数の凹状部を形成し、載置板と基板の裏面中央の同一線上に、互いに対称の向きで、取付孔を有する柔軟な合成樹脂板で形成した支え部を夫々設け、載置板表面下方部に設けた保持板部の頁抑えの頭部が円形形状に形成したことを特徴とするものである。
【００１１】
本発明の書見台は上記のように構成されているため、簡単な構造でありながら、本を確実且安定的に載置でき、頁抑えや頁捲りを容易に行うことができ、操作性が優れるという特徴を有している。まず、載置板と基板は、夫々の端部を紐で緊縛して連結し、夫々の支え部を手で湾曲状に形成し、ビスと蝶ナツトで連結して書見台を立体状に組み立てる。更に、保持板部を手で湾曲状に形成し載置板表面の前方に引き出して形成する。次に、開いた本を載置板に載せ、本の下端部は保持板部で支え、開いた頁の下方部は頁抑えの頭部と紙面の接触部分を円形形状に形成することにより、接する部分を最小にすることができ、接触抵抗の減少により、頁捲りや頁収めを容易にすることができる。                       
【００１２】
また、載置板両側部に形成した略階段状の凹状部は、本の大きさに対応して段を選択して、載置する本の表紙の端部に近い段と表紙をクリツプで、平行状に確実充分且容易に留めることができる。
【００１３】
また、載置板に載置した本の開いた頁の上部両隅は、載置板の両側に形成した略階段状の凹状部の各段の谷と、載置板上端中央部に形成した複数の凹状部を本の大きさに対応して選択し、輪ゴムを掛けて開いた頁の上隅余白部分を抑えることにより、輪ゴムで活字の隠蔽を防ぐことができる。また、輪ゴムが一部の活字部分を抑えざるを得ない場合でも、太さ１ｍｍ程度の細い輪ゴムは引張して、更に細くなるので輪ゴムの下の活字は容易に判読することができる。
【００１４】
また、本発明の書見台は、載置板と基板と支え部の間に空間を形成する構造なので、その空間部分に錘として水を入れたペツトボトル等が載置可能であり、机上の書見台の安定を保持することができる。
【００１５】
また、本発明の書見台は、載置板の下部と基板の前側を紐で緊縛して連結しているので、連結している夫々の端部間に隙間を形成することは容易である。例えば、図５に示す通り錘として本等を入れたダンボール箱の蓋部を前記隙間に通し、基板とダンボール箱の他の一方の蓋部を紐で連結調節して、載置板の傾斜角度を斜め下向きに調節することができる。載置板をセツトしたダンボール箱を小型座卓テーブルや箱に置き、床面からの載置板の高さを４５~５０cmにすれば、仰臥で使用できるようになる。  
【００１６】
また、ダンボール箱を二重に重ね、下段のダンボール箱を身体の腹部の形状にあわせて、下端部を半円形状に切り抜いて腹部上に載せて使用すれば、腹上で安定的に仰臥で使用できる。載置板とダンボール箱、ダンボール箱とダンボール箱の組合せは、ダンボール箱の蓋部を活用して組立、分解が可能であり、書見台の座位、仰臥の使用の切り替えを容易に行うことができる。  
【００１７】
また、別途用意した板状の支柱に載置板を取り付け、支柱と載置板の上部は、柔軟な合成樹脂板の支え部を介して取り付けるので、支え部を手で曲折して載置板の傾斜角度を下向きにすることができる。また、支柱の下部は、錘として本等を入れた箱に紐等で取り付けて立設するので仰臥で使用できるようになる。
【００１８】
また、本発明の請求項２の書見台は、請求項１のものにおいて、載置板と基板が柔軟な合成樹脂板で形成し、載置板に設けた支え部と保持板部及び基板に設けた支え部が、載置板及び基板と、夫々が一体に形成したことを特徴とするものである。載置板に形成した支え部と保持板部と基板に形成した支え部の三方の側に連通した抜き部を形成し、載置板と基板の支え部は夫々載置板と基板の裏面側に引き出して湾曲状に形成し、夫々をビスと蝶ナツトで連結し、載置板の傾斜角度を調整しその状態を保持することができる。また保持板部は載置板の表面側に引き出して湾曲状に形成し、載置板に載置した本の下端部を載置し保持することができる。  
【００１９】
また、本発明の請求項３の書見台は、請求項１又は２記載の書見台のものにおいて、載置板と基板は、支え部を有する傾斜板を介して連結したことを特徴とするものである。本発明は、床に置いて座位で使用できるが、特に仰臥した身体の腹部から下腹部上に置いて使用することができる。使用するには、傾斜板の下部と基板の前側を紐で緊縛し、且、夫々の支え部を連結して傾斜板を傾斜させる。また、傾斜板の上方部に載置板の下端部を紐で緊縛して取り付け、載置板の支え部と傾斜板の上端部を紐で緊縛して連結し、載置板の傾斜角度を連結した紐の長さを調節して自在にすることができる。また、傾斜板に設けた支え部は、請求項２の載置板や基板の支え部と同様に、支え部の三方の側部を型抜きして傾斜板と支え部を一体に形成してもよい。
【００２０】
また、本発明の請求項４の書見台は、請求項１又は２のものにおいて、載置板と基板が一体に形成したことが特徴とするものである。本発明を仰臥で使用する場合は、ダンボール箱等の上端部に切り溝を形成し、載置板の突起部を切り溝に差込み、ダンボール箱上の書見台の安定的載置を保持することができる。
【００２１】
また、本発明の請求項５の書見台は、請求項１のものにおいて、載置板と基板がダンボール板で一体に形成したことを特徴とするものである。ダンボール板の載置板と基板の境目は圧縮プレスをかけた折り目を付け開角折り畳み自在にするとよい。また、支え部は多数の取付孔を穿設し、載置板の傾斜角度が斜め上向きから斜め下向きに形成可能なように、支え部は長めに形成するとよい。
【発明の効果】
【００２２】
上述したように本発明の書見台は、凹状部を略階段形状に形成して本の表紙を載置板により確実にクリツプで留めることができるので、載置板上の本の安定を保持することができるようになった。
【００２３】
また、載置板及び基板に設けた支え部を介して、載置板は基板と結合し、且、略四角形状の基板で支えるので、載置した本の重量の偏りや傾斜角度を鋭角にしても転倒することがなくなった。
【００２４】
本の下方部を抑える頁抑えを円形形状に形成したので、開いた頁と頁抑えの接触部分が最小になって接触抵抗が減じ、頁の捲りと、捲った頁を隣りの頁と頁抑えの間に収めることが容易になつた。    
【００２５】
載置板両側に形成した凹状部の略階段状の谷と上部の複数の凹状部を選択して輪ゴムを掛けることができるので、本の大きさの違いに対応して、本上部の両隅の余白を抑えることによつて、活字を隠すことなく簡単容易に抑えることができる。
【００２６】
載置板と基板を一体に形成可能になり、製造工程を簡略化し、また、安価なダンボール板を使用して製造コストの低減が図れた。また、頁の抑えに身近にある輪ゴムを使用し、また、書見台を高い位置で使用するためダンボール箱等を利用したり、傾斜板を連結することにより、仰臥で使用でき、低コストで書見台の活用が多様化するという効果を発揮するものである。
【発明を実施するための最良の形態】
【００２７】
以下、本発明の実施の形態を図１~図１２に基づいて説明する。図１は、本発明の実施例１である書見台の平面図とＡ−Ａ矢視図とＢ−Ｂ矢視図である。この書見台は、本を載せる載置板１と載置板１を支える基板２からなり、載置板１下端部と基板２上端部を紐３で折り畳み自在に連結している。
【００２８】
載置板１は、四角形板状で両側に略階段状の凹状部４を形成し、上中央部に略Ｕ字状の複数の凹状部５を形成している。また、載置板１表面下方の中央部の左右方向に、載置板１と略水平に保持板部６をビス７と蝶ナツト８で取り付け、載置板１の裏面中央上下方向に支え部９を設け、その上部側をビス７と蝶ナツト８で載置板１に取り付けている。本実施例では、載置板１は、合成樹脂板、木製の平板、鉄板製としてもよい。
【００２９】
保持板部６は、柔軟な合成樹脂の長方形板状でその両側を略Ｌ字状に形成し、その頭部を円形状の頁抑え１０を保持板部６と一体に形成している。本の紙面と接触する部分の角部は角張ったものでないほうが好ましく、ビニールテープ等を巻いて紙が滑り易くしてもよい。合成樹脂板は、本を支える強度と手で湾曲状に形成できる柔軟性が必要で、３ｍｍ程度の厚さであればよい。    
【００３０】
支え部９は、保持板部６と同様、手で自在に形成可能で柔軟な合成樹脂板であり、上下方向中心に適宜の間隔で取付孔１１を有し、上部側をビス７と蝶ナツト８で載置板１に取り付けている。
【００３１】
基板２は、四角形状を形成し、載置板１同様、合成樹脂板、木製平板、鉄板製としてもよく、裏面に取り付ける支え部９は載置板１に取り付けた支え部９と同様の構造で、載置板１支え部９の取付孔１１の中心線の同一線上且対称の向きで取り付けている。
【００３２】
紐３で緊縛した載置板１と基板２の連結部を支点に、基板２に対して載置板１を傾斜させ、夫々の支え部９を手で湾曲状に形成し、夫々適宜の取付孔１１をビス７と蝶ナツト８で連結して、平面状の書見台を立体状に形成する。また、保持板部６は載置板１表面上方に、手で湾曲状に形成する。載置板１の傾斜角度の調節は夫々の支え部９の取付孔１１を選択して調節することができる。また、載置板１の下端部の両側部に取付孔１１を穿設し、基板２の前端部の両側に穿設した取付孔１１と紐３を通して緊縛して載置板１と基板２を連結する。また、載置板１下端部中央に穿設した取付孔１１は、後述する支柱２０に載置板１を取り付ける取付孔１１である。  
【００３３】
図２は、本実施例の載置板１に本を置いた状態を示す参考図である。載置板１と保持板部６に載置した本は、大きさに合わせて表紙の側部に近い凹状部４の段１２と表紙１３側部をクリツプ１４で留めている。本の頁の下方の余白部分が小さく保持板部６の頁抑え１０で活字を隠す、例えば単行本のような小さなサイズの本の場合は、本の下端部を保持板部６から離し、両側をクリツプ１４で留め下方部を頁抑え１０で抑えるようにするとよい。
【００３４】
また、載置板１上中央部の複数の凹状部５と両側に形成した略階段状に形成した凹状部４の複数の段１２を、本の大きさにより選択してなるべく隅の余白部分を抑えるように、載置板１の表裏を輪ゴム１５を掛け渡すことが好ましい。掛け渡した輪ゴム１５は張力で頁を抑え、且、抑えた頁が捲り易いように適宜の大きさと太さの輪ゴム１５を掛け渡すとよい。また、単行本サイズで比較的縦長の本は、載置板１上で頁が山状を形成し易く、上隅を抑えるだけでは頁を見易くすることができない場合は、図２の（ロ）に示すように、輪ゴム１５で頁の上端中央部を抑えて山状になることを抑えるようにするとよい。
【００３５】
図３は本実施例を座位での使用状態を示す参考図である。立体状に形成した載置板１と基板２と支え部９の間に空間を形成する構造となるので、例えば水を入れて錘としたペツトボトル１６を載置し、テーブルや机上でより安定的に使用できるようになる。    
【００３６】
図４も本実施例を座位での使用状態を示す参考図である。載置板１と基板２は紐３で連結しているので、連結部分に図１に示す（イ）と（イ）の隙間１７を形成した構造とすることができる。例えば、錘としての本等を入れたダンボール箱２３の蓋部１８の幅が紐３と紐３の間の隙間１７に入るように、図１のＡに示す長さに形成し、ダンボール箱２３上の書見台は隙間１７に入れた蓋部１８と本等の錘により安定を保持することができる。
【００３７】
図５は本実施例を仰臥での使用状態を示す参考図である。図４に示すものを、隙間１７に入れたダンボール箱２３の蓋部１８に対面する蓋部１８と基板２を紐３で連結し、書見台の向きを斜め下向きに調節可能になる。また、床面から載置板１下端部まで４５~５０ｃｍ程度になるように台や箱に置けば、仰臥で身体の横側に置いて使用することができる。
【００３８】
図６は、図５に示すものを、身体の腹部上に置いて仰臥での使用状態を示す正面参考図とＣ−Ｃ矢視参考図である。載置板１を取り付けたダンボール箱２３の下部の前後側に、切り溝２４を夫々が平行状に設け、下段側のダンボール箱の前後の胴体部分を半円形状に切り抜き、上部の前後の蓋部１８を、前記切り溝２４に差し込んで二つのダンボール箱２３を重ね組立て、仰臥で読書する場合、身体の腹部から下腹部上に置いて書見台を使用することができる。上側のダンボール箱２３に形成した切り溝２４は、下側に置くダンボール箱２３の蓋部１８を差し込むことが可能な切り溝２４にするとよい。また、下側のダンボール箱２３の胴体部分の切り抜きは、使用する人の体格にもよるが、適宜にカツター等で切り抜くとよい。
【００３９】
図７は本実施例を仰臥での使用状態を示す参考図である。別途、上方部に適宜の間隔で複数の取付孔１９を穿設した支柱２０に基板２を外した載置板１を取り付ける。支柱２０の上部の取付孔１９は曲折した支え部９の取付孔１１をビス７と蝶ナツト８を螺合して取り付け、支柱２０の下方の取付孔１９は載置板１下部の取付孔１１にビス７と蝶ナツト８を螺合して取り付ける。図７に示す上下のビス７とビス７の間隔Ｂは、長くすると支え部９はより曲折して、載置板１の傾斜はより下向きになり、短くすると載置板１の傾斜は緩やかになる。支柱２０の下部は、本等を入れた箱に緊縛して書見台を立設し仰臥で使用することができる。また支柱２０をベツトの布団落下防止枠に取り付けて、ベツトで寝た状態で使用することもできる。  
【００４０】
図８は、実施例２の平面図とＤ−Ｄ矢視図である。載置板１と基板２に形成した保持板部６と支え部９は、夫々の三方の側部を連通した型抜きにより抜き部２９を形成している。使用する場合は、載置板１と基板２の裏面側に夫々の支え部９を湾曲状に引き出して夫々の取付孔１１をビス７と蝶ナツト８を螺合して取り付ける。また載置板１下部の保持板部６は載置板１表面上部方向に引き出して湾曲状に形成する。
【００４１】
図９は、実施例３の側面参考図とＥ−Ｅ矢視参考図である。本実施例は載置板１と基板２と傾斜板２８で構成している。傾斜板２８は長方形状で下部を湾曲状に切り抜き、中央部から下方に向けて支え部９をビス７と蝶ナツト８で取り付けている。また、傾斜板２８の上部、中部、下部の左右側に夫々取付孔１１を穿設し、載置板１及び基板２及び載置板１の支え部９の取付孔１１を紐３で緊縛し、傾斜板２８の支え部９と基板２の支え部９をビス７と蝶ナツト８を螺合して取り付け、立体状に形成している。本実施例を仰臥で使用するには、載置板１の支え部９と傾斜板２８を連結した紐３の長さを調節して、載置板１が斜め下向きになるようにするとよい。下部を湾曲状に切り抜いた傾斜板２８は、半円形状の身体の腹部上での載置の安定を保持する。
【００４２】
図１０は、実施例４の平面図とＦ−Ｆ矢視図である。載置板１と基板２が一体に型抜きして形成している。載置板１と基板２の間は連結部２１を形成し、書見台を使用する場合は、連結部２１を湾曲状に形成し、載置板１と基板２の夫々の支え部９を連結して取り付け立体状に形成する。また、連結部２１と連結部２１の間に突起部２２を形成し、突起部２２は書見台をダンボール箱等に置いて仰臥で使用する場合、ダンボール箱２３の切り溝２４に突起部２２を差し込み可能な構造としている。切り溝２４の幅は図に示すＣの長さに形成するとよい。
【００４３】
図１１は、実施例５の平面図とＧ−Ｇ矢視図とＨ−Ｈ矢視図である。載置板１と基板２は、その裏面の境目を凹状の折り目３０を形成したダンボール板で一体に形成している。載置板１裏面に取り付けている支え部９は、一枚の柔軟な合成樹脂板に多数の取付孔１１を設け、載置板１と基板２にビス７と蝶ナツト８で取り付け可能にしている。
【００４４】
図１２は、本実施例の使用状態を示す参考図である。載置板１と基板２に取り付ける支え部９の取付孔１１の位置により、載置板１の傾斜角度を調整することができる。座位で使用するときは、取付孔１１と取付孔１１の間隔が短いほど傾斜は緩やかになる。仰臥で使用するときは、間隔を長くして載置板１が斜め下向きの位置で支え部９を取り付けるようにするとよい。
【図面の簡単な説明】
【００４５】
【図１】実施例１の平面図とＡ−Ａ矢視図とＢ−Ｂ矢視図である。
【図２】実施例１の載置板に本を置いた状態の参考図である。
【図３】実施例１の座位での使用状態を示す参考図である。
【図４】実施例１の座位での使用状態を示す参考図である。
【図５】実施例１の仰臥での使用状態を示す参考図である。
【図６】実施例１の仰臥で図５に示すものを身体の腹部上に置いた状態を示す正面              参考図とＣ−Ｃ矢視参考図である。
【図７】実施例１の仰臥での使用状態を示す参考図である。
【図８】実施例２の平面図とＤ−Ｄ矢視図である。
【図９】実施例３の側面参考図とＥ−Ｅ矢視参考図である。
【図１０】実施例４の平面図とＦ−Ｆ矢視図である。
【図１１】実施例５の平面図とＧ−Ｇ矢視図とＨ−Ｈ矢視図である。
【図１２】実施例５の使用状態を示す参考図。
【図１３】従来の書見台を示すＩ−Ｉ矢視図とＪ−Ｊ矢視図と展開図である。
【図１４】従来の書見台の補助板を取り付けた状態を示す参考図である。
【符号の説明】
【００４６】
１  載置板       ２  基板        ３  紐        ４  凹状部        ５  凹状部    ６  保持板部      ９  支え部    １０  頁抑え  １２  段          １４  クリツプ１５  輪ゴム      １７  隙間      １８  蓋部    ２１  連結部      ２２  突起部  ２３  ダンボール箱 ２４  切り溝   ２８  傾斜板  ２９  抜き部      ３０  折り目
【図１】
2009136595.tif 000003
【図２】
2009136595.tif 000004
【図３】
2009136595.tif 000005
【図４】
2009136595.tif 000006
【図５】
2009136595.tif 000007
【図６】
2009136595.tif 000008
【図７】
2009136595.tif 000009
【図８】
2009136595.tif 000010
【図９】
2009136595.tif 000011
【図１０】
2009136595.tif 000012
【図１１】
2009136595.tif 000013
【図１２】
2009136595.tif 000014
【図１３】
2009136595.tif 000015
【図１４】
2009136595.tif 000016